【手続補正書】
【提出日】平成17年12月9日(2005.12.9)
【手続補正１】
【補正対象書類名】明細書
【補正対象項目名】発明の名称
【補正方法】変更
【補正の内容】
【発明の名称】栄養素量算出装置及び栄養素量算出プログラム
【手続補正２】
【補正対象書類名】明細書
【補正対象項目名】特許請求の範囲
【補正方法】変更
【補正の内容】
【特許請求の範囲】
【請求項１】
ユーザが栄養素名及び栄養素量を入力するための入力部と、
食品名に対応させてその食品の単位重量当たりに含まれる各種基本栄養素量が格納された栄養素量記憶部と、
前記入力部から入力された栄養素名の情報に基づき、前記栄養素量記憶部から前記栄養素名を含む食品とその食品に含まれる単位重量当たりの前記栄養素名の基本栄養素量の情報を読み出す情報読出し部と、
前記情報読出し部により読み出された食品の単位重量当たりの基本栄養素量に基づき、前記入力部から入力された栄養素量を摂取するために必要な前記食品の重量を算出する算出部と、
前記算出部で算出された複数の食品の重量とその食品名とを出力する出力部とを備えたことを特徴とする栄養素量算出装置。
【請求項２】
ユーザが食品名及び重量を入力するための入力部と、
食品名に対応させてその食品の単位重量当たりに含まれる各種基本栄養素量が格納された栄養素量記憶部と、
前記入力部から入力された食品名及び重量の情報に基づき、前記栄養素量記憶部から前記食品とその食品に含まれる単位重量当たりの前記栄養素名の基本栄養素量を読み出す情報読出し部と、
前記情報読出し部により読み出された各種栄養素量を前記入力部から入力された重量に対応した値に演算し、その演算の結果得られた栄養素量を摂取するために必要な前記食品の重量を算出する算出部と、
前記算出部で算出された複数の食品の重量とその食品名とを出力する出力部とを備えたことを特徴とする栄養素量算出装置。
【請求項３】
ユーザが食品名や重量、栄養素名などを入力するための入力部と、
食品名に対応させてその食品の単位重量当たりに含まれる各種基本栄養素量が格納された栄養素量記憶部と、
前記入力部から入力された食品名及び重量の情報に基づき、前記栄養素量記憶部から前記食品に含まれる単位重量当たりの各種基本栄養素量の情報を読み出す情報読出し部と、
前記情報読出し部により読み出された単位重量当たりの各種基本栄養素量に基づき、前記入力部から入力された重量分の各種栄養素量を算出する第１算出部と、
前記第１算出部により算出された各種栄養素量を出力部に出力し、その出力された各種栄養素量の中から前記入力部より調べたい栄養素名が入力されると、前記第１算出部で算出された該当する栄養素名の栄養素量を摂取するために必要な前記食品の重量を算出する第２算出部と、
前記第２算出部で算出された複数の食品の重量とその食品名とを出力する出力部とを備えたことを特徴とする栄養素量算出装置。
【請求項４】
食品名に対応する１単位当たりの標準重量が格納された標準重量記憶部をさらに備え、
前記算出部は、算出した食品の重量と前記標準重量記憶部に記憶されている標準重量とに基づいて、摂取するために必要な食品の単位量を算出し、前記出力部は、摂取するために必要な食品の量を単位量で表示することを特徴とする請求項１または請求項２に記載の栄養素量算出装置。
【請求項５】
食品名に対応する１単位当たりの標準重量が格納された標準重量記憶部をさらに備え、
前記第２算出部は、算出した食品の重量と前記標準重量記憶部に記憶されている標準重量とに基づいて、摂取するために必要な食品の単位量を算出し、前記出力部は、摂取するために必要な食品の量を単位量で表示することを特徴とする請求項３に記載の栄養素量算出装置。
【請求項６】
食品名に対応する１単位当たりの標準重量が格納された標準重量記憶部と、
前記入力部から入力された食品名及び単位量の情報に基づき、前記標準重量記憶部に格納されている該当する食品名の標準重量を用いてその食品の重量に換算する重量換算部とをさらに備え、
前記情報読出し部は、前記入力部から入力された食品名と前記重量換算部により換算された重量の情報に基づき、前記栄養素量記憶部から前記食品に含まれる各種栄養素量の情報を読み出すことを特徴とする請求項２に記載の栄養素量算出装置。
【請求項７】
食品名に対応する１単位当たりの標準重量が格納された標準重量記憶部と、
前記入力部から入力された食品名及び単位量の情報に基づき、前記標準重量記憶部に格納されている該当する食品名の標準重量を用いてその食品の重量に換算する重量換算部とをさらに備え、
前記情報読出し部は、前記入力部から入力された食品名と前記重量換算部により換算された重量の情報に基づき、前記栄養素量記憶部から前記食品に含まれる単位重量当たりの各種基本栄養素量の情報を読み出すことを特徴とする請求２に記載の栄養素量算出装置。
【請求項８】
食品名に対応させてその食品に含まれる各種栄養素量が格納されたデータベースの中から、必要とする栄養素量を摂取するために必要な食品の重量を算出するコンピュータ読み取り可能な栄養素量算出プログラムであって、
調べたい栄養素名の情報が入力されると、前記データベースから前記栄養素名を含む食品とその食品に含まれる単位重量当たりの前記栄養素名の基本栄養素量の情報を読み出すステップと、
読み出した食品の単位重量当たりの基本栄養素量に基づき、前記入力された栄養素量を摂取するために必要な前記食品の重量を算出するステップと、
算出された複数の食品の重量とその食品名とを出力するステップとを備えたことを特徴とする栄養素量算出プログラム。
【請求項９】
食品名に対応させてその食品に含まれる各種栄養素量が格納されたデータベースの中から、必要とする栄養素量を摂取するために必要な食品の重量を算出するコンピュータ読み取り可能な栄養素量算出プログラムであって、
調べたい食品名及び重量の情報が入力されると、前記データベースから前記食品とその食品に含まれる単位重量当たりの前記栄養素名の基本栄養素量の情報を読み出すステップと、
読み出した各種栄養素量を前記入力された重量に対応した値に演算し、その演算の結果得られた栄養素量を摂取するために必要な前記食品の重量を算出するステップと、
算出された複数の食品の重量とその食品名とを出力するステップとを備えたことを特徴とする栄養素量算出プログラム。
【請求項１０】
食品名に対応させてその食品に含まれる各種栄養素量が格納されたデータベースの中から、必要とする栄養素量を摂取するために必要な食品の重量を算出するコンピュータ読み取り可能な栄養素量算出プログラムであって、
調べたい食品名及び重量の情報が入力されると、前記データベースから前記食品に含まれる単位重量当たりの各種基本栄養素量の情報を読み出すステップと、
読み出した単位重量当たりの各種基本栄養素量に基づき、前記入力された重量分の各種栄養素量を算出して出力するステップと、
調べたい栄養素名が入力されると、前記算出された該当する栄養素名の栄養素量を摂取するために必要な前記食品の重量を算出するステップと、
算出された複数の食品の重量とその食品名とを出力するステップとを備えたことを特徴とする栄養素量算出プログラム。
【請求項１１】
前記食品には料理が含まれることを特徴とする請求項１ないし請求項７のいずれかに記載の栄養素量算出装置、または請求項８ないし請求項１０のいずれかに記載の栄養素量算出プログラム。
【手続補正３】
【補正対象書類名】明細書
【補正対象項目名】０００１
【補正方法】変更
【補正の内容】
【０００１】
【発明の属する技術分野】
本発明は、食品の栄養素量の情報が格納されたデータベースの中から、必要とする栄養素量を摂取するために必要な食品の重量を算出する栄養素量算出装置及び栄養素量算出プログラム及び栄養素量算出プログラムに関する。
【手続補正４】
【補正対象書類名】明細書
【補正対象項目名】０００５
【補正方法】変更
【補正の内容】
【０００５】
本発明は係る問題点を解決すべく創案されたもので、その目的は、必要とする栄養素量をバランスよく摂取することのできる栄養素量算出装置及び栄養素量算出プログラムを提供することにある。
【手続補正５】
【補正対象書類名】明細書
【補正対象項目名】０００６
【補正方法】削除
【補正の内容】
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】変更
【補正の内容】
【００１０】
【課題を解決するための手段】
本発明の栄養素量算出装置は、ユーザが栄養素名及び栄養素量を入力するための入力部と、食品名に対応させてその食品の単位重量当たりに含まれる各種基本栄養素量が格納された栄養素量記憶部と、前記入力部から入力された栄養素名の情報に基づき、前記栄養素量記憶部から前記栄養素名を含む食品とその食品に含まれる単位重量当たりの前記栄養素名の基本栄養素量の情報を読み出す情報読出し部と、前記情報読出し部により読み出された食品の単位重量当たりの基本栄養素量に基づき、前記入力部から入力された栄養素量を摂取するために必要な前記食品の重量を算出する算出部と、前記算出部で算出された複数の食品の重量とその食品名とを出力する出力部とを備えたことを特徴としている。
【手続補正１０】
【補正対象書類名】明細書
【補正対象項目名】００１２
【補正方法】変更
【補正の内容】
【００１２】
次に、算出部は、読み出した食品の単位重量当たりの基本栄養素量に基づき、入力部から入力された前記栄養素量を摂取するために必要な食品の重量を算出し、算出された複数の食品の重量とその食品名とを出力部に出力する。
【手続補正１１】
【補正対象書類名】明細書
【補正対象項目名】００１４
【補正方法】変更
【補正の内容】
【００１４】
また、本発明の栄養素量算出装置は、ユーザが食品名及び重量を入力するための入力部と、食品名に対応させてその食品の単位重量当たりに含まれる各種基本栄養素量が格納された栄養素量記憶部と、前記入力部から入力された食品名及び重量の情報に基づき、前記栄養素量記憶部から前記食品とその食品に含まれる単位重量当たりの前記栄養素名の基本栄養素量を読み出す情報読出し部と、前記情報読出し部により読み出された各種栄養素量を前記入力部から入力された重量に対応した値に演算し、その演算の結果得られた栄養素量を摂取するために必要な前記食品の重量を算出する算出部と、前記算出部で算出された複数の食品の重量とその食品名とを出力する出力部とを備えたことを特徴としている。
【手続補正１２】
【補正対象書類名】明細書
【補正対象項目名】００１５
【補正方法】変更
【補正の内容】
【００１５】
すなわち、入力部から調べたい食品名及び重量の情報が入力されると、情報読出し部は、栄養素量記憶部から食品に含まれる各種基本栄養素量の情報を読み出す。
【手続補正１３】
【補正対象書類名】明細書
【補正対象項目名】００１６
【補正方法】変更
【補正の内容】
【００１６】
次に、算出部は、読み出した各種栄養素量を入力された前記重量に対応した値に演算し、その演算の結果得られた栄養素量を摂取するために必要な食品の重量を算出して、算出された複数の食品の重量とその食品名とを出力部に出力する。
【手続補正１４】
【補正対象書類名】明細書
【補正対象項目名】００１８
【補正方法】変更
【補正の内容】
【００１８】
また、本発明の栄養素量算出装置は、ユーザが食品名や重量、栄養素名などを入力するための入力部と、食品名に対応させてその食品の単位重量当たりに含まれる各種基本栄養素量が格納された栄養素量記憶部と、前記入力部から入力された食品名及び重量の情報に基づき、前記栄養素量記憶部から前記食品に含まれる単位重量当たりの各種基本栄養素量の情報を読み出す情報読出し部と、前記情報読出し部により読み出された単位重量当たりの各種基本栄養素量に基づき、前記入力部から入力された重量分の各種栄養素量を算出する第１算出部と、前記第１算出部により算出された各種栄養素量を出力部に出力し、その出力された各種栄養素量の中から前記入力部より調べたい栄養素名が入力されると、前記第１算出部で算出された該当する栄養素名の栄養素量を摂取するために必要な前記食品の重量を算出する第２算出部と、前記第２算出部で算出された複数の食品の重量とその食品名とを出力する出力部とを備えたことを特徴としている。
【手続補正１５】
【補正対象書類名】明細書
【補正対象項目名】００２０
【補正方法】変更
【補正の内容】
【００２０】
次に、第１算出部は、読み出した単位重量当たりの各種基本栄養素量に基づき、入力された前記重量分の各種栄養素量を算出して出力部に出力し、第２算出部は、その出力部に出力された各種栄養素量の中から入力部より調べたい栄養素名が入力されると、第１算出部で算出された該当する栄養素名の栄養素量を摂取するために必要な食品の重量を算出して、その算出結果を出力部に出力する。
【手続補正１６】
【補正対象書類名】明細書
【補正対象項目名】０１１２
【補正方法】変更
【補正の内容】
【０１１２】
このプログラムは、コンピュータで読み取り可能な記録媒体に格納されていてもよい。